(57)【特許請求の範囲】
【請求項１】
情報管理サーバと、１以上の発信装置と、１以上の受信装置と、複数の発光装置とからなる情報処理システムであって、
前記複数の発光装置は各々識別ＩＤを保持しており、
前記１以上の発信装置は、前記複数の発光装置のうちの１以上の発光装置にイベントＩＤを送信し、
前記イベントＩＤを受信した発光装置は、前記イベントＩＤを未受信の他の発光装置に対して前記イベントＩＤを送信すると共に、自身が受信した１以上の要素を有する識別ＩＤリストに自身の識別ＩＤを追加した識別ＩＤリストを送信し、
前記１以上の受信装置は、前記イベントＩＤを保持する発光装置から、当該発光装置が保持するイベントＩＤと１以上の要素を有する識別ＩＤリストをと含むデータを受信して前記情報管理サーバにアップロードする
ことを特徴とするシステム。
【請求項２】
情報管理サーバと、１以上の発信装置と、１以上の受信装置と、複数の発光装置とからなる情報処理システムにおける発光装置であって、
前記複数の発光装置は各々識別ＩＤを保持しており、
前記１以上の発信装置は、前記複数の発光装置のうちの１以上の発光装置にイベントＩＤを送信し、
前記イベントＩＤを受信した発光装置は、前記イベントＩＤを未受信の他の発光装置に対して前記イベントＩＤを送信すると共に、自身が受信した１以上の要素を有する識別ＩＤリストに自身の識別ＩＤを追加した識別ＩＤリストを送信し、
前記１以上の受信装置は、前記イベントＩＤを保持する発光装置から、当該発光装置が保持するイベントＩＤと１以上の要素を有する識別ＩＤリストとを含むデータを受信して前記情報管理サーバにアップロードする
ことを特徴とするシステムにおける発光装置。
【請求項３】
情報管理サーバと、１以上の発信装置と、１以上の受信装置と、複数の発光装置とからなる情報処理システムにおける情報管理サーバであって、
前記複数の発光装置は各々識別ＩＤを保持しており、
前記１以上の発信装置は、前記複数の発光装置のうちの１以上の発光装置にイベントＩＤを送信し、
前記イベントＩＤを受信した発光装置は、前記イベントＩＤを未受信の他の発光装置に対して前記イベントＩＤを送信すると共に、自身が受信した１以上の要素を有する識別ＩＤリストに自身の識別ＩＤを追加した識別ＩＤリストを送信し、
前記１以上の受信装置は、前記イベントＩＤを保持する発光装置から、当該発光装置が保持するイベントＩＤと１以上の要素を有する識別ＩＤリストとを含むデータを受信して前記情報管理サーバにアップロードし、
前記情報管理サーバは、受信装置から受信した前記データに基づいて、前記イベントＩＤごとに前記識別ＩＤリストに関するツリー構造を構築する
ことを特徴とするシステムにおける情報管理サーバ。
【請求項４】
前記情報管理サーバは、前記構築したツリー構造に対し、新たに受信装置から受信した前記データを追加して前記ツリー構造を拡張することを特徴とする請求項３に記載のサーバ。
【請求項５】
前記情報管理サーバは、前記構築したツリー構造に基づいて、前記識別ＩＤ間のコミュニケーションを制御することを特徴とする請求項３または４に記載のサーバ。
【発明の詳細な説明】
【技術分野】
【０００１】
本発明は、広くイベント等に使用される発光装置に関し、より詳細には、通信機能を備えた発光装置と当該発光装置を含むシステムとに関する。
【背景技術】
【０００２】
従来、イベントやセレモニーにおいては、ロウソク（キャンドル）を使ったキャンドルリレー等の演出が行われてきた。
【０００３】
かかるキャンドルリレー等の演出は、電子機器を用いて模擬的に実施されている（非特許文献１、２）。
【０００４】
すわなち、非特許文献１、２には、電子機器用アプリケーションソフトウェアであって、当該ソフトウェアをインストールして特定の高周波音を出力する特定のサイトにアクセスして当該高周波音を受信すると模擬的に聖火を貰い受けることができ、その聖火はアクセスした電子機器の表示画面上にロウソクの炎（ないし、火、明かり）として表示され、同ソフトウェアがインストールされている他の電子機器に近接させると高周波音の伝達により炎を模擬的に伝搬させることができる演出技術が開示されている。なお、当該電子機器に表示されたロウソクの炎は、画面上のワイプ操作等によって消すことができる。
【０００５】
また、情報通信可能な電子灯篭も提案されている（特許文献３）。
【０００６】
すなわち、特許文献３には、電子装置内蔵型灯籠であって、灯部に配置される灯部電子表示装置３と、情報表示板７と、誘導無線用送受信装置４と、監視用カメラ６Ａと、テレビカメラ６Ｂと、スピーカ９Ａと、マイク９Ｂと、緊急用呼出ボタン９Ｃと、各種センサ９Ｄと、無線も含めた各種通信制御装置と、情報コンセント８と、監視制御装置と、放送装置２４と、照明装置２５と、電源装置１３とが実装され、灯部の他に、近傍を通る人に情報を報知する情報報知手段を備えたことを特徴とする電子灯籠が開示されている。
【先行技術文献】
【非特許文献】
【０００７】
【非特許文献１】チームラボ株式会社，「つながるキャンドル」，2014年5月21日，インターネット＜http://candle.team-lab.com/＞
【非特許文献２】Team Lab Inc.，アプリケーションソフトウェア「つながるキャンドル」，2013年11月15日、インターネット＜https://play.google.com/store/apps/details?id=com.teamlab.connectingcandles＞
【特許文献】
【０００８】
【特許文献１】特開２０００−３１５４０４号公報
【発明の概要】
【発明が解決しようとする課題】
【０００９】
しかしながら、非特許文献１、２に開示された技術は、情報伝達可能な電子機器をさらに有効に活用したコミュニケーションツールとして改善の余地がある。また、特許文献３に開示された装置は種々の情報伝達が可能ではあるものの、情報を伝達する人同士を繋ぐといった多様なコミュニケーションを行うことはできなかった。
【００１０】
特に、イベントやセレモニー等においてキャンドルやキャンドルリレーを模した電子機器を用いる場合には、従来行われてきた炎や火の伝達というモチーフの実現に加えて通信可能であるという長所を生かした新たな改善が期待される。
【課題を解決するための手段】
【００１１】
そこで、本発明の一実施形態にかかるシステムは、情報管理サーバと、１以上の発信装置と、１以上の受信装置と、複数の発光装置とからなる情報処理システムであって、前記複数の発光装置は各々識別ＩＤを保持しており、前記１以上の発信装置は、前記複数の発光装置のうちの１以上の発光装置にイベントＩＤを送信し、前記イベントＩＤを受信した発光装置は、前記イベントＩＤを未受信の他の発光装置に対して前記イベントＩＤを送信すると共に、自身が受信した１以上の要素を有する識別ＩＤリストに自身の識別ＩＤを追加した識別ＩＤリストを送信し、前記１以上の受信装置は、前記イベントＩＤを保持する発光装置から、当該発光装置が保持するイベントＩＤと１以上の要素を有する識別ＩＤリストをと含むデータを受信して前記情報管理サーバにアップロードすることを特徴とする。
【００１２】
また、本発明の一実施形態にかかる発光装置は、情報管理サーバと、１以上の発信装置と、１以上の受信装置と、複数の発光装置とからなる情報処理システムにおける発光装置であって、前記複数の発光装置は各々識別ＩＤを保持しており、前記１以上の発信装置は、前記複数の発光装置のうちの１以上の発光装置にイベントＩＤを送信し、前記イベントＩＤを受信した発光装置は、前記イベントＩＤを未受信の他の発光装置に対して前記イベントＩＤを送信すると共に、自身が受信した１以上の要素を有する識別ＩＤリストに自身の識別ＩＤを追加した識別ＩＤリストを送信し、前記１以上の受信装置は、前記イベントＩＤを保持する発光装置から、当該発光装置が保持するイベントＩＤと１以上の要素を有する識別ＩＤリストとを含むデータを受信して前記情報管理サーバにアップロードすることを特徴とする。
【発明の効果】
【００１３】
本発明の一実施形態にかかる発光装置等によれば、従来のキャンドルリレーを模した信号伝達のみならず、かかるリレーの系譜に基づいた高度なコミュニケーションが可能になるという特段の効果を奏する。
【図面の簡単な説明】
【００１４】
【図１】本発明の一実施形態にかかるシステムの全体構成例を説明する説明図である。
【図２】本発明の一実施形態にかかるイベント用発光装置の外観構成を説明する説明図である。
【図３】本発明の一実施形態にかかるシステムに含まれる発信装置の外観構成を説明する説明図である。
【図４】本発明の一実施形態にかかるシステムに含まれる受信装置の外観構成を説明する説明図である。
【図５】本発明の一実施形態にかかるシステムに含むことができるチェックポイント装置の外観構成を説明する説明図である。
【図６】本発明の他の実施形態にかかるシステムに含まれる代替的な発信装置、受信装置、チェックポイント装置としてのタブレット端末の外観構成を説明する説明図である。
【図７】本発明の一実施形態にかかるイベント用発光装置の機能ブロックを説明する説明図である。
【図８】本発明の一実施形態にかかるシステムに含まれる発信装置の機能ブロックを説明する説明図である。
【図９】本発明の一実施形態にかかるシステムに含まれる受信装置の機能ブロックを説明する説明図である。
【図１０】本発明の一実施形態にかかるイベント用発光装置の受信時の動作フローを説明するフローチャートである。
【図１１】本発明の一実施形態にかかるイベント用発光装置の送信時の動作フローを説明するフローチャートである。
【図１２】本発明の一実施形態にかかるシステムに含まれる発信装置の動作フローを説明するフローチャートである。
【図１３】本発明の一実施形態にかかるシステムに含まれる受信装置の動作フローを説明するフローチャートである。
【図１４Ａ】本発明の一実施形態にかかるシステムに含まれる情報管理サーバにおいて構築されるツリーのデータ構造を説明する説明図である。
【図１４Ｂ】本発明の一実施形態にかかるシステムに含まれる情報管理サーバにおいて構築される拡張されたツリーのデータ構造を説明する説明図である。
【図１５】本発明の一実施形態にかかるシステムにおいて構築されるツリーのデータ構造に基づいたコミュニケーション例を説明する説明図である。
【発明を実施するための形態】
【００１５】
本発明の一実施形態にかかるイベント用発光装置及び該装置を用いたシステムについて、図面を参照しながら詳細に説明する。
【００１６】
図１に、本発明の一実施形態にかかるシステムの全体構成例を示す。情報処理システム１０は、その典型的な構成として、情報管理サーバ１０１と、発信装置１０２と、発信装置１０２から信号ないしデータを受信可能なイベント用発光装置１０３ａ〜１０３ｃと、イベント用発光装置から信号ないしデータを受信可能な受信装置１０４ａ〜１０４ｄとで構成される。また、付加的に、図に示されるようなチェックポイント端末１０５ａ〜１０５ｂを設けることもできる。これらのサーバ及び装置や端末間は、図１に示されるように、専用回線やインターネット１０９等の公衆回線で相互に通信可能に接続されている。なお、回線は有線であっても無線であってもよく、無線の場合、図示しない基地局や無線ルータ等を介してインターネット１０９に乗り入れ、更に回線を介して情報管理サーバ１０１と相互に通信可能に接続される。
【００１７】
また、図１には示していないが、情報処理システム１０には、一般ユーザが使用するパソコンや携帯電話、携帯情報端末、タブレット端末等の各種情報処理装置（以下、総称して「ユーザ端末」とも言うこともある）を含むことができる。より具体的には、これらのユーザ端末から回線を介して情報管理サーバ１０１と相互に通信可能に接続される。
【００１８】
なお、本願の出願時点での携帯電話や携帯情報端末ないしタブレット端末等のユーザ端末は、ＰＣに比肩する処理能力（通信処理速度や画像処理能力等）を備えているものも多く、小型のコンピュータとも言うべきものである。
【００１９】
また、本発明の実施に必要なプログラムないしソフトウェアは、通常、ＰＣや携帯情報端末の記憶部におけるＨＤＤないしＳＳＤ等にインストールないし記憶され、プログラムないしソフトウェアの実行時には、必要に応じて記憶部内のメモリにその全部又は一部のソフトウェアモジュールとして読み出され、ＣＰＵにおいて演算実行される。
【００２０】
なお、演算実行は必ずＣＰＵ等の中央処理部で行われる必要はなく、図示しないディジタルシグナルプロセッサ（ＤＳＰ）等の補助演算装置を用いることもできる。
【００２１】
また、情報管理サーバ１０１のハードウェアブロック構成も、基本的にはＰＣを採用することができる。なお、本発明はこれに限定されるものではないが、情報管理サーバ１０１は、必要に応じてそのハードウェアスペックを上げるにあたり、複数のＰＣを並列的に作動させることによって大規模データの処理に適した構成をとることもできる。
【００２２】
図２に、本発明の一実施形態にかかるイベント用発光装置の外観構成を示す。図２（Ａ）において、イベント用発光装置２１は、本体部２１１と発光部２１２とからなり、模式的にロウソクないしキャンドルの形状をしている。その典型的な大きさは、円筒形状の本体部２１１の直径が３５〜４０ｍｍ程度、本体部２１１の底部から発光部２１２の頂部までの高さが２５〜３５ｍｍ程度である。
構造上は、本体部２１１と発光部２１２とをＡＢＳ樹脂やポリプロピレンプラスチック等で一体的に成型してもよいし、２つの部材を別々に成型し（この場合、異なる素材を使用したり素材の透明度等を異ならしめたりすることができる）、ねじ込み等によって結合するような構成としてもよい。
【００２３】
そして、本体部２１１内部には、電池を格納するための電源ボックスや信号処理を行うためのマイコン、赤外線通信ユニット等が収納されており、発光部２１２には図示しないＬＥＤ電球がセットされている。また、本体部２１１には、図示しない電源ＯＮ／ＯＦＦスイッチを設けることができ、さらに、充電可能な二次電池を電源として採用する場合には、充電のためのソケットを設けることもできる。
【００２４】
本体部２１１に取り付けられたボタン２１３は、後述する信号ないしデータを送信するための送信ボタンである。
【００２５】
図２（Ｂ）には、図２（Ａ）に示したイベント用発光装置２１の代替的な装置が示されている。同図（Ｂ）のイベント用発光装置２５は、カードデバイスとして実装され、カード本体部２５１の任意の位置にＬＥＤランプ２５２が組み込まれている。図示しないが、カード本体部２５１には、イベント用発光装置２１と同様に、電源ＯＮ／ＯＦＦスイッチを設けることができ、さらに、充電可能な二次電池を電源として採用する場合には、充電のためのソケットあるいはプラグを設けることもできる。また、同図（Ｂ）に図示しないが、後述する信号ないしデータを送信するための送信ボタン（ボタン２１３に対応するボタン）が設けられる。
【００２６】
なお、イベント用発光装置２１、２５のハードウェアブロック構成例については、図７を参照して詳述する。
【００２７】
図３に、本発明の一実施形態にかかるシステムに含まれる発信装置の外観構成を示す。図３（Ａ）において、発信装置３１は、本体部３１１と発光部３１２とからなり、必要に応じて受脚部３１３を設けるなどして、全体としては模式的に篝火の形状をしている。その典型的な大きさは、本体部３１１の直径が３５０〜４５０ｍｍ程度、本体部３１１の底部から発光部３１２の頂部までの高さが４００〜５００ｍｍ程度であり、受脚部３１３を含めた全長は１５００〜１８５０ｍｍ程度である。
【００２８】
そして、本体部３１１内部には、電源部や信号処理を行うためのマイコン、赤外線通信ユニット、ネットワーク通信モジュール等が収納されており、発光部３１２には図示しないＬＥＤ等の発光モジュールがセットされている。
【００２９】
図３（Ｂ）には、図３（Ａ）に示した発信装置３１の代替的な形態が示されている。同図（Ｂ）の発信装置３２は、発信装置３１と同様に本体部３２１と発光部３２２とからなるが、全体的な大きさは発信装置３１の本体部３１１及び発光部３１２よりはやや小ぶりとなる。そして発信装置３２には、持ち手３２３が取り付けられて携帯に容易な構成となっている。この持ち手３２３を含めた発信装置３２の全長は、一例として、５００ｍｍ〜８００ｍｍ程度である。発信装置３１が設置型であるのに対し、発信装置３２は携行容易に構成されている。
【００３０】
また、図３（Ｃ）に、図３（Ａ）及び（Ｂ）に示した発信装置の代替的な装置が示されている。同図（Ｃ）の発信装置３５は、タブレット端末である。発光部は、タブレット装置のディスプレイを使用するか、あるいは図示しないスロット又は接続ポートに図示しない外付けの発光モジュール等を接続して発光させることができる。
【００３１】
なお、発信装置３１、３２のハードウェアブロック構成例については、図８を参照して詳述する。発信装置にタブレット端末３５を代替させる場合には、少なくとも図８に示したハードウェアブロック構成を含むものであればよい。
【００３２】
図４に、本発明の一実施形態にかかるシステムに含まれる受信装置の外観構成を示す。図４（Ａ）において、受信装置４１は、少なくとも表示部４１１を備えており、その他には発光部４１２や台座４１３等を備えることができる。全体としては模式的に暖炉や囲炉裏の形態をしている。その典型的な大きさは、実際の暖炉や囲炉裏と同程度である。
【００３３】
そして、表示部４１１または台座４１３には、電源部や信号処理を行うための制御部、メモリ等の記憶部、入出力部、中央処理部等のモジュールが格納されている。なお、発光部４１２には図示しない発光モジュールがセットされている。
【００３４】
図４（Ｂ）には、図４（Ａ）に示した受信装置４１の代替的な形態が示されている。同図（Ｂ）の受信装置４２は、受信装置４１のような表示部は備えていないが、表示部によって視覚的に情報を伝達する代わりに音声で伝えることができるよう、スピーカ等の音声出力部（同図（Ｂ）において不図示）を備えている。その他は、本体部４２１と発光部４２２とを有し、必要に応じて枠部４２３を設けるなどして、全体的な形態は模式的にランプやランタンの形状をしている。その典型的な大きさは、実際のランプやランタンと同程度である。
【００３５】
また、図４（Ｃ）に、図４（Ａ）及び（Ｂ）に示した受信装置の代替的な装置が示されている。同図（Ｃ）の発信装置４５は、タブレット端末である。発光部は、タブレット装置のディスプレイを使用するか、あるいは図示しないスロット又は接続ポートに図示しない外付けの発光モジュール等を接続して発光させることができる。
【００３６】
なお、受信装置４１、４２のハードウェアブロック構成例については、図９を参照して詳述する。また、受信装置にタブレット端末４５を代替させる場合には、少なくとも図９に示したハードウェアブロック構成を含むものであればよい。
【００３７】
図５に、本発明の一実施形態にかかるシステムに含むことができるチェックポイント装置の外観構成を示す。図５（Ａ）において、チェックポイント装置５１は、少なくとも表示部５１１を備えており、その他には表示部５１１を設置場所において支えるための脚部５１２を備える（あるいは、脚部による設置に替えて、図示しない設置台上に載置することもできる）。全体としては、看板や標識台、端末テーブルの形態をしている。
【００３８】
また、図５（Ｂ）に、図５（Ａ）に示したチェックポイント装置の代替的な装置が示されている。同図（Ｂ）の発信装置５５は、タブレット端末である。かかるタブレット端末を脚部によって支えたり、設定台上に載置したりすることによりチェックポイント装置とすることができる。
【００３９】
図６に、本発明の他の実施形態にかかるシステムに含まれる代替的な発信装置、受信装置、チェックポイント装置としてのタブレット端末の外観構成を示す。図６において、タブレット端末（情報処理装置）６０は、筐体部６０１とディスプレイ６０２と筐体６０１の下部中央部に設けられたハードウェアボタン６０３とからなる。ディスプレイ６０２は典型的には液晶ディスプレイ（ＬＣＤ）等で構成され、文字や画像など様々な情報を表示することができる。また、ディスプレイ６０２にメニューボタンやソフトウェアキーボードを表示させ、これを指ないしタッチペン（不図示）等で触れることによりタブレット端末６０への指示（コマンド）とすることができる。この点で上記ハードウェアボタン６０３は必須の構成要素ではないが、本発明の説明の便宜上、一定の機能を担うボタンとして実装されている。もちろん、これらハードウェアボタン６０３を、ディスプレイ６０２の一部に表示させたメニューボタンで代替させることも可能である。
【００４０】
また、ディスプレイ６０２には、マルチタッチ入力パネルが含まれており、タッチ入力パネル上でのタッチ入力位置座標が入力デバイスインタフェース（不図示）を介してタブレット端末６０の処理系（ＣＰＵ）へ送信され処理される。そして、このマルチタッチ入力パネルは、パネルに対する複数の接触点を同時に感知することができるよう構成されている。この検出（センサ）については様々な方法で実現することができ、必ずしも接触センサに限られず、例えば、光学式のセンサを利用してパネルに対する指示点を抽出することも可能である。さらに、センサには、接触式のセンサや光学式のセンサのほか、人の肌の接触を感知する静電容量方式のセンサを用いることも可能である。
【００４１】
また、図６には現れていないが、タブレット端末６０は、マイクやスピーカを備えることもできる。この場合にはマイクより拾ったユーザの声などを判別して入力コマンドとすることも可能である。さらに、図６には現れていないが、タブレット端末６０の背面等には、ＣＭＯＳ等のカメラデバイスを実装することができる。
【００４２】
図７に、本発明の一実施形態にかかるイベント用発光装置２１等を構成するハードウェアの機能ブロック図を示す。発光装置２１等の動作は、以下に説明するハードウェアの個々の動作、及びこれらの連携動作によって実現されている。
【００４３】
図７において、ハードウェアブロック全体としての発光装置７０は、筐体７０１内にマイコンユニット７０２と赤外線発光／受光モジュール７０３と、メモリ７０４と、入出力Ｉ／Ｏ７０５と、スイッチ７０６と、発光ＬＥＤ７０７と、電源ないし電池７０８とが組み込まれている。
【００４４】
なお、入出力Ｉ／Ｏ７０５は、製造上のコストに鑑みて省略することができる。また、マイコンユニット７０２、赤外線発光／受光モジュール７０３、メモリ７０４（及び入力力Ｉ／Ｏ７０５）の全部又はそのほとんどを１つのユニットにまとめたモジュール（一例として、ｍａｘｉｍ社製赤外線モジュール内臓型１６ビットマイクロコントローラ「ＭＡＸＱ６１０」など）を採用することもできる。
【００４５】
スイッチ７０６には、電源ＯＮ／ＯＦＦ用スイッチや信号（データ）送信スイッチ等が含まれ、電源７０８は、ボタン電池や充電可能な二次電池を採用することができる。
【００４６】
図８に、本発明の一実施形態にかかる発信装置３１等を構成するハードウェアの機能ブロック図を示す。発信装置３１等の動作は、以下に説明するハードウェアの個々の動作、及びこれらの連携動作によって実現されている。
【００４７】
図８において、ハードウェアブロック全体としての発信装置８０は、筐体８０１内にマイコンユニット８０２と赤外線発光／受光モジュール８０３と、メモリ８０４と、入出力Ｉ／Ｏ８０５と、スイッチ８０６と、発光ＬＥＤ８０７と、電源ないし電池８０８とが組み込まれ、さらに、インターネットなどのネットワークが可能なネットワーク通信モジュール８０９が組み込まれる。
【００４８】
図９に、本発明の一実施形態にかかるシステムに含まれる受信装置４１等を構成するハードウェアの機能ブロック図を例示する。受信装置４１等の動作は、以下に説明するハードウェアの個々の動作、及びこれらの連携動作によって実現されている。
【００４９】
図９において、ハードウェアブロック全体としての受信装置９０は、大別すると、図４の各装置における図示しないハードウェアボタン、そして、マルチタッチ入力パネル（図４（Ａ）のディスプレイ４１１や図４（Ｃ）のディスプレイ部に設けられている）やマイク等で構成される入力部９０１と、プログラムやデータ等を記憶するためのハードディスク、ＲＡＭ及び／又はＲＯＭ等で構成される記憶部９０２と、プログラムによって様々な数値計算や論理演算を行うＣＰＵによって構成される中央処理部９０３と、ディスプレイ４１１等で構成される表示部９０４と、チップや電気系統等の制御を行うための制御部９０５と、インターネットにアクセスするためのスロットや光通信を行うためのポート、及び通信インタフェースから構成される通信インタフェース部９０６と、スピーカやバイブレーション等の出力部９０７と、時刻等を計時するための計時部９０８と、ＣＭＯＳ等のイメージセンサからなるセンサ部９０９と、装置内の各モジュールに電源を供給するための電源部９１０とからなり、これらのモジュールは必要に応じて適宜通信バスや給電線（図９においては、便宜上各線が適宜区分された結線９１１としてひとまとめに表す）によって接続されている。
なお、センサ部９０９には、タブレット端末の位置を特定するためのＧＰＳセンサモジュールを含めることとしても良い。また、センサ部９０９を構成するＣＭＯＳ等のイメージセンサによって検知された信号は、入力部９０１において入力情報として処理される。
【００５０】
また、本発明の実施に必要なプログラムないしソフトウェアは、通常、記憶部９０２を構成するハードディスク等にインストールないし記憶され、プログラムないしソフトウェアの実行時には、必要に応じて記憶部９０２内のメモリにその全部又は一部のソフトウェアモジュールとして読み出され、ＣＰＵ９０３において演算実行される。
【００５１】
なお、演算実行は必ずしもＣＰＵ等の中央処理部９０３で行われる必要はなく、図示しないディジタルシグナルプロセッサ（ＤＳＰ）等の補助演算装置を用いることもできる。
【００５２】
次に、図１０〜１３を参照して、本発明の一実施形態にかかるシステムに含まれる各装置の動作フローを説明する。本発明の一実施形態にかかるシステムは、上述した装置による連携動作によって、イベントやセレモニー等においてキャンドルやキャンドルリレーを模した電子機器を用いた単なる炎（のモチーフ）の伝達に留まらず、電子機器が備える通信機能を活かした新たなコミュニケーションをユーザに提案するものである。
【００５３】
まず、図１０に、本発明の一実施形態にかかるイベント用発光装置の受信時の動作フローを示す。イベント用発光装置は、ロウソクやキャンドルを模してＬＥＤライトを点灯させることができるほかに、自身のＩＤ（以下、「キャンドルＩＤ」、「ＣＩＤ」という）を持っており、かつ信号ないしデータ（主として、イベントＩＤ。以下、「ＥｖｅｎｔＩＤ」という）の送受信を行うことが本発明の特徴の一つとなっている。この信号ないしデータ（主として、ＥｖｅｎｔＩＤ）は、後述するように、他のキャンドル（他のイベント用発光装置）や篝火やトーチ（発信装置３１等）から受け渡される（受信する）ものである。そして、典型的には、信号ないしデータの受信完了の合図としてＬＥＤの火が灯される。さらに、詳細は後述するが、ＥｖｅｎｔＩＤとＣＩＤは、他のキャンドル（発光装置）へ受け渡されると、送信元のキャンドル（発光装置）のＣＩＤを含むリストとして伝達される。
【００５４】
図１０のステップＳ１００１において、発光装置２１等の電源スイッチがオンにされると、ハードウェアとしての動作が開始される。しかしながら、この電源スイッチのオンによって必ず発光部（ＬＥＤ）が点灯するということはない。つまり、電源スイッチのＯＮ／ＯＦＦは発光部の点灯／消灯を意味するのではない。後述するように、その発光装置がＥｖｅｎｔＩＤを保持しているか否かによって発光部の点灯／消灯を決めることができる。つまり、発光装置がＥｖｅｎｔＩＤを保持していれば発光部は点灯し、ＥｖｅｎｔＩＤを保持していなければ消灯するように設計することができる。
【００５５】
したがって、実装の態様によるが、ステップＳ１００１における発光装置の電源をオンにする前に、既に他の発光装置や発信装置からＥｖｅｎｔＩＤを受け渡されて自身のメモリに記憶されており、かつ、電源オフによってもその情報を維持させる場合には、電源オン後に発光部は発光することになる。それ以外は、電源オン後も発光部は消灯したままである。つまり、電源オフによってＥｖｅｎｔＩＤを破棄する仕様にする場合には、最初の電源オン時には必ず発光部は消灯した状態となる。
【００５６】
ステップＳ１００１において起動状態に入った発光装置は、ステップＳ１００２でスイッチがオフにされると、ステップＳ１０９０へ進み、メモリに記憶されているＥｖｅｎｔＩＤ等の情報を消去（あるいは、保持フラグを解除）して終了する（ステップＳ１０９１）が、そうでない場合（ステップＳ１００２において、Ｎｏ）にはステップＳ１００３へ進む。なお、ステップＳ１０９０は、他の実施形態においては省略することができる（この場合、発光装置の電源をオフにしてもＥｖｅｎｔＩＤ等の情報は保持させることが可能となる）。
【００５７】
次に、ステップＳ１００３においては、ＥｖｅｎｔＩＤ等を送信するための送信ボタンが押下されたかどうかの判断がなされる。押下された場合（ステップＳ１００３において、Ｙｅｓ）、ステップＳ１００５へ進み、信号ないしデータの送信処理が行われる（図１１を参照して後述）。ステップＳ１００３においてＮｏの場合は、ステップＳ１００４へ進む。
【００５８】
ステップＳ１００４では、ＥｖｅｎｔＩＤが受信されたかどうかが判断される。これは、他のキャンドル（他の発光装置）や篝火やトーチ（発信装置３１等）から送信される信号ないしデータである。
【００５９】
このとき、ＥｖｅｎｔＩＤの送受信は、装置同士が一定距離内に近づいている状態で送信元の発光装置の送信ボタンが押下されると、近接無線通信により実行される。
なお、通信方式は、赤外線等の近接無線通信のほか、従来のように高周波音を使用することもできることは言うまでもない。
【００６０】
そして、このＥｖｅｎｔＩＤを受信する（ステップＳ１００４において、Ｙｅｓ）と、それまで発光部が消灯されていた受信側の発光装置は、このタイミング（より正確には、ステップＳ１００６で「Ｎｏ」と判断されたタイミング、あるいはステップＳ１００７のタイミング）で発光部が点灯（発光）され、ちょうどキャンドルリレーがなされたように見える。本発明の一実施形態にかかるシステムでは、キャンドルリレーを模した光の伝達と共にＥｖｅｎｔＩＤ等の信号ないしデータの受け渡しを行っており、これが大きな特徴の一つとなっている。
【００６１】
なお、ＥｖｅｎｔＩＤを受信していない（ステップＳ１００４において、Ｎｏ）場合には、ステップＳ１００２へ復帰する。
【００６２】
典型的には、ステップＳ１００２〜ステップＳ１００４までは、イベントドリブンな割り込み処理としてサイクリックに巡回監視制御されている。
【００６３】
次に、ステップＳ１００４においてＥｖｅｎｔＩＤが受信されたと判断されてステップＳ１００６に進むと、ここでは、受信側発光装置が既にＥｖｅｎｔＩＤを保持しているかどうかが判断され、既にＥｖｅｎｔＩＤを保持している場合（Ｙｅｓ）には、ステップＳ１００８へ進むが、ＥｖｅｎｔＩＤを保持していない場合（Ｎｏ）には、ステップＳ１００７に進み、ＥｖｅｎｔＩＤを新規に登録するとともに発光部を発光（点灯）させ、ステップＳ１００８へ進む。
【００６４】
ステップＳ１００８では、ＥｖｅｎｔＩＤを送信してきた発光装置（他の発光装置又は発信装置）に自身のＣＩＤを返信する。これは、送信元の発光装置に、自身がいかなるＣＩＤを有する他の発光装置へＥｖｅｎｔＩＤを送信したかを記録させるためである。
【００６５】
次に、ステップＳ１００９において、ＥｖｅｎｔＩＤに引き続き１以上のＣＩＤのリストが送信されてくる場合があるので、これを判断する。例えば、篝火やトーチなどの発信装置から直接火を貰った（ＥｖｅｎｔＩＤを受信した）場合には、後続するＣＩＤのリストは存在しないことが考えられるが、他のキャンドル（発光装置）からＥｖｅｎｔＩＤを受信した場合には、その「他のキャンドル」（発光装置）自体も１回以上のキャンドルリレーを経てＥｖｅｎｔＩＤを受信しているので、その場合には、その１以上のＣＩＤのリストも受信する。この点も本発明の大きな特徴となっている。
【００６６】
ステップＳ１００９において、Ｙｅｓの場合は、自身のＣＩＤが見つかる（ステップＳ１０１０において、Ｙｅｓ）か、ＣＩＤのリストが最後尾に至る（ステップＳ１００９において、Ｎｏ）まで、ステップＳ１００９→ステップＳ１０１０→ステップＳ１０１１→ステップＳ１００９のループを１以上繰り返す。
【００６７】
そして、ＥｖｅｎｔＩＤに後続するＣＩＤのリスト（但し、自身のＣＩＤが含まれる場合にはその手前まで）を受信し終えると、ステップＳ１００２に復帰する。
【００６８】
図１１に、本発明の一実施形態にかかるイベント用発光装置の送信時の動作フローを示す。既に図１０を参照して説明したように、本動作フローは、図１０のステップＳ１００３及びステップＳ１００５の詳細フローとなる。発光装置の送信時には、送信元の発光装置の送信ボタンを押下し、他の発光装置に対して一定の距離内に近づくなどして近接無線通信処理が開始される。送信元の発光装置からは、ＥｖｅｎｔＩＤと１以上のＣＩＤリストが送信される。このとき、本発明は必ずしもこれに限定されるものではないが、ＣＩＤリストの最後尾に自身のＣＩＤが付加されて送信先の発光装置へ送信される。
【００６９】
図１１のステップＳ１１０１においてスイッチがオンされる（図１０のＳ１００３において、Ｙｅｓに対応）と、ステップＳ１１０２に進み、まず送信元の発光装置内に既に受信したＥｖｅｎｔＩＤがあるかどうかがチェックされ、ない（Ｎｏ）場合は送信処理ができないので終了する（ステップＳ１１０９）。見かけ上は何も起こらないことになるので、このとき、何らかのメッセージを出すこととしてもよい（例えば、発光部を一定時間点滅させるなど）。これまで述べた動作例によって明らかなように、この場合は、送信元の発光装置の発光部が消灯しているので、通常は消灯している発光装置の送信ボタンを押してもなにも起こらないことは、ユーザにとって容易に推測できるであろう。
【００７０】
ステップＳ１１０２において、ＥｖｅｎｔＩＤがあった（Ｙｅｓ）場合には、送信元の発光装置のメモリからこのＥｖｅｎｔＩＤを読み出し（ステップＳ１１０３）、さらに、既に受信した１以上のＣＩＤリストがあるかどうかがチェックされる（ステップＳ１１０４）。もしあれば（ステップＳ１１０４において、Ｙｅｓ）、保存されているＣＩＤリストを読み出し（ステップＳ１１０５）、このリストの最後尾に自身のＣＩＤを追加して送信リストを生成する（ステップＳ１１０６）。一方、ステップＳ１１０４においてＮｏの場合は、ＥｖｅｎｔＩＤに自身のＣＩＤが追加して送信リストが生成されることとなる。
【００７１】
ステップＳ１１０７では、生成した送信リスト（典型的には、ＥｖｅｎｔＩＤ＋１以上のＣＩＤのリストとなる）を送信する。次に、ステップＳ１１０８において、送信先の発光装置から当該発光装置のＣＩＤを受信し、メモリに登録する。このＣＩＤの授受は、送信先発光装置から見た場合の図１０のステップＳ１００８において返信されてきたＣＩＤの受信動作である。これによって、送信元の発光装置は、自身がどんなＣＩＤを持つ発光装置へＥｖｅｎｔＩＤ等を送信したかを保持するために受け手の発光装置のＣＩＤを記録することができる。
そして、処理を終了する（ステップＳ１１０９）。
【００７２】
［キャンドルリレー時のＥｖｅｎｔＩＤ等の送受信の具体例］
ここで、図１０〜１１の動作フローを踏まえた具体例を挙げる。いま、ＥｖｅｎｔＩＤを保持していない発光装置（キャンドル）Ａ〜Ｅがあり（各装置が保持するＣＩＤの具体的な値を”CID_A”, “CID_B”, “CID_C”, “CID_D”, “CID_E”とする）、発信装置Ｐ（篝火ないしトーチ。発信装置ＰもＣＩＤとして、”CID_P”を保持しているものとする）から発光装置Ａが火（ＥｖｅｎｔＩＤ。このときのＥｖｅｎｔＩＤの具体的な値を”EID”とする）を貰い受け、以下、発光装置Ａ→発光装置Ｂ→発光装置Ｃ→発光装置Ｄ→発光装置Ａ→発光装置Ｅの順にＥｖｅｎｔＩＤ（及びＣＩＤリスト）の伝達を行うとすると、それぞれの発光装置において信号受信とともに保持されるＥｖｅｎｔＩＤ及びＣＩＤリストは下表のとおりである。
【表１】
0006400997.tif 000002
なお、リレー順位の最初の発信装置Ｐは、ネットワーク通信モジュール８０９を介して情報管理サーバ１０１からＥｖｅｎｔＩＤ（上表の”EID”）を受信することで、予めＥｖｅｎｔＩＤを獲得している。
【００７３】
図１２に、本発明の一実施形態にかかるシステムに含まれる発信装置の動作フローを示す。発信装置は、篝火やトーチをモチーフとしたＥｖｅｎｔＩＤの送信手段であり、自身のＣＩＤを持っており、かつ、ＥｖｅｎｔＩＤをキャンドルとしての発光装置に付与することをその主な役目とする。本発明は、これに限定されるものではないが、発信装置のＥｖｅｎｔＩＤの送信は、発光装置の場合のように「送信ボタンの押下」によるものではなく、常時送信し続ける実施形態が好適である。つまり、ＥｖｅｎｔＩＤを保持して発光部が発光している発信装置にキャンドル（発光装置）を近づけると、所定距離内に入った時には必然的に近接無線通信が開始され、発信装置から発光装置へＥｖｅｎｔＩＤが引き渡される。その際、それまでＥｖｅｎｔＩＤを保持していなかった発光装置は、ＥｖｅｎｔＩＤを受信すると共に発光部が発光する（見かけ上は、模式的なキャンドルリレーが実現されることとなる）。
以下、図１２を参照して動作フローを説明する。
【００７４】
図１２のステップＳ１２０１において処理を開始すると、ステップＳ１２０２へ進み、発信装置内にＥｖｅｎｔＩＤが既に取得されているかどうかがチェックされ、取得されていなければ、ネットワーク通信モジュール８０９を介して情報管理サーバ１０１へアクセスし、ＥｖｅｎｔＩＤを取得する。このとき、詳細説明は割愛するが、どの発信装置（ＣＩＤによって特定できる）に対して、どんなＥｖｅｎｔＩＤを割り振るかは、情報管理サーバ１０１で管理されており、認証処理を含めて適宜処理される。用途を例示しながら具体例を挙げると、あるコンサートについては”EID_1001”というＥｖｅｎｔＩＤが割り当てられているものとすると、そのコンサートに関連する１以上の発信装置は予め登録されており、会場付近や最寄りの駅付近等の任意の場所に設置される発信装置に対して、情報管理サーバ１０１は、そのアクセスに応じてＥｖｅｎｔＩＤとして”EID_1001”を付与する。一方で、別のイベントとして催される展覧会に対しては”EID_1002”という別のＥｖｅｎｔＩＤを割り当て、情報管理サーバ１０１は、その展覧会に関する１以上の発信装置に対し、そのアクセスに応じてＥｖｅｎｔＩＤとして”EID_1002”を付与する。
【００７５】
ステップＳ１２０２でのＥｖｅｎｔＩＤ取得については、発明の理解の容易のためにほぼ自動的な処理として記載したが本発明はこれに限定されるものではく、適宜手動による操作が含まれていても良い。
【００７６】
ステップＳ１２０２において、発信装置がＥｖｅｎｔＩＤを取得すると、スイッチがオフ（ステップＳ１２０３において、Ｙｅｓ）されない限りＥｖｅｎｔＩＤを送信し続け、一定距離に近づいてきたキャンドルとしての発光装置がＥｖｅｎｔＩＤを受信した時に当該発光装置から送信されてくる発光装置側のＣＩＤ受信を待つ（ステップＳ１２０４において、Ｎｏとなるループで待機状態となっている）。なお、ステップＳ１２０３においてスイッチがオフにされる（ステップＳ１２０３において、Ｙｅｓ）と、処理は終了する（ステップＳ１２０６）。
【００７７】
ステップＳ１２０４において、発光装置によるＥｖｅｎｔＩＤ受信があった場合、ステップＳ１２０５へ進み、ＥｖｅｎｔＩＤを受信した発光装置からのＣＩＤ返信によって得られる送信先発光装置のＣＩＤを受信し、これをメモリに記憶し、及び／又は、この受信ＣＩＤを自身のＣＩＤと共に情報管理サーバ１０１へアップロードする。そして、発信装置及び／又は情報管理サーバでは、この送信先発光装置のＣＩＤリストを記録する。
【００７８】
そして、情報管理サーバ１０１では、一意のＥｖｅｎｔＩＤを割り当てたイベントごとに、そのイベントに関連する発信装置がどの発光装置にＥｖｅｎｔＩＤを付与したかを管理することができる。その管理テーブルを例示すると、下表のとおりである。
【表２】
0006400997.tif 000003
【００７９】
図１３に、本発明の一実施形態にかかるシステムに含まれる受信装置の動作フローを示す。受信装置は、暖炉や囲炉裏、ランタンなどをモチーフとしたＥｖｅｎｔＩＤの受信手段であり、自身のＣＩＤを持っており、かつ、キャンドルとしての発光装置からＥｖｅｎｔＩＤやＣＩＤリストを吸い上げることをその主な役目とする。本発明は、これに限定されるものではないが、受信装置によるＥｖｅｎｔＩＤ等の受信は、常時受信し続ける実施形態が好適である。つまり、ＥｖｅｎｔＩＤやＣＩＤリストを保持したキャンドル（発光装置）が受信装置に近づいてくると、所定距離内に入った時（必要であれば、発光装置側の送信ボタン押下を追加の要件としても良い）に、近接無線通信が開始され、発光装置から受信装置へＥｖｅｎｔＩＤやＣＩＤが引き渡される。
以下、図１３を参照して動作フローを説明する。
【００８０】
図１３のステップＳ１３０１において処理を開始する（受信装置それ自体の起動や初期化等の処理の説明は省略する）と、ステップＳ１３０２において、スイッチがオフにされた（システムのシャットダウンなど装置を非起動状態にすることを含む）かどうかが判断され、オフにされた（Ｙｅｓ）場合は終了する（ステップＳ１３０６）が、そうでない（Ｎｏ）場合には、ＥｖｅｎｔＩＤ等の受信待ちとなる（ステップＳ１３０３において、Ｎｏの場合のループがこれを表わす）。
【００８１】
ステップＳ１３０３において、送信ボタンを押下した発光装置が所定の距離内に近づいて来る（あるいは、受信装置から所定の距離内で発光装置のボタンが押される）などしてＥｖｅｎｔＩＤを受信した（Ｙｅｓ）場合、ステップＳ１３０４へ進み、その発光装置からＥｖｅｎｔＩＤの他、次の情報を受信する。
（１）１以上の要素を含むＣＩＤリスト
（２）ＥｖｅｎｔＩＤを送信してきた発光装置がこれまでにＥｖｅｎｔＩＤを配布した先の装置が保持するＣＩＤ（１以上のＩＤ群）
【００８２】
次に、同ステップにおいて、発光装置から上述した情報を受信すると、その受信装置のＣＩＤを含めて情報管理サーバ１０１へアップロードする。
【００８３】
次に、ステップＳ１３０５へ進む。このステップでは、受信装置が発光装置からＥｖｅｎｔＩＤ等の情報を吸い上げたときのイベントとして実施される動作例である。すなわち、ステップＳ１３０５において、受信装置は、その表示部に付加的なメッセージを表示させたり、図示しない受信装置筐体等に取り付けられた電飾等を発光させたりすることができる。あるいは、図示しない受信装置に組み込まれた音声出力手段（スピーカなど）から、主催者や出演者等からのメッセージとして「今日はありがとう」などとボイスメッセージを再生させても良い。発光装置を携行するユーザから見れば、自身のキャンドル（発光装置）を囲炉裏やランタン（受信装置）に近づける動作をすることにより、そのイベントの主催者等からのメッセージを受け取ったり、付加的な情報を受け取ったりすることができ、イベントに参加した「余韻」を感じ取ることができる。そして、このとき、受信装置は、発光装置が保持するＥｖｅｎｔＩＤやＣＩＤリストを吸い上げて情報管理サーバへアップロードし、情報管理サーバでは、１以上の受信装置から送信されてくる、いわゆるキャンドルリレーの履歴情報を収集する。
【００８４】
図１４Ａ〜図１４Ｂを参照して、発明の一実施形態にかかるシステムに含まれる情報管理サーバにおいて構築されるＣＩＤのツリー構造について説明する。上述したとおり、情報管理サーバ１０１には、受信装置を介して多くの発光装置からＥｖｅｎｔＩＤ及び１以上の要素を含むＣＩＤリスト、並びに、各発光装置がこれまでに送信した先の装置のＣＩＤ群が集約される。
【００８５】
そして、情報管理サーバ１０１では、ＥｖｅｎｔＩＤ（つまり、このＩＤが一意に割り当てられたイベントそれ自体）ごとに、ＣＩＤリストの樹形図ないし系統図となるべきツリーが構成される。このとき、ツリーは、受信装置を介して都度送信されてくる発光装置のＥｖｅｎｔＩＤ及びＣＩＤリストをＥｖｅｎｔＩＤごとに整理し、そのＣＩＤリストを前方一致検索等のアルゴリズムを使用して、共通するリスト前方部分を抽出しながら、異なるリスト後方部分については枝分かれさせるようにリスト前後のポインタを繋ぎかえるなどして構築される。
その様子を図１４Ａに示す。
【００８６】
図１４Ａには、あるイベント（共通のＥｖｅｎｔＩＤ）に関連付けられたＣＩＤリストを上述したアルゴリズムにより整理し、系統図としてツリー化されたデータ構造が示されている。具体例を挙げると、このイベントが、あるアーティストによるコンサートイベントだとすると、図１４Ａに示されたＣＩＤのツリーは、このアーティストのコンサートに参加しようと会場に集まってきたファンが各々の発光装置を携行し、会場近辺等に設置された発信装置から火（ＥｖｅｎｔＩＤ等）を貰い受け、一方で、まだＥｖｅｎｔＩＤを保持していない（消灯状態にある）発光装置を携行する他のファンにも火（ＥｖｅｎｔＩＤ等）を分け与えながら会場に集まってきた場合の明かりの系譜ともいうべき系統図である。
【００８７】
あるいは、同図に示されたツリーは、コンサート会場で、アーティストが手にした篝火（発信装置）の会場の最前列のファン達（各々、発光装置を携行している）に火（ＥｖｅｎｔＩＤ等）を付与し、最前列のファン達が次々と後列のファン達にキャンドルリレーをする要領で、ＥｖｅｎｔＩＤ等をリレーしていった場合の明かりの系譜ともいうべき系統図を当てはめることができる。
【００８８】
そして、コンサートを楽しんだファン達は、各々家路に着く過程で、例えば道中に配置された受信装置にキャンドル（発光装置）をかざすなどして、自身が保持するＥｖｅｎｔＩＤとＣＩＤリストとを送信する（受信装置側から見れば発光装置の保持情報を吸い上げる）。あるいは、受信装置は、道中ではなく喫茶店や軽食店のテーブル上にランタンのモチーフなどとして設置されていても良い。この場合、発光装置から受信装置へＥｖｅｎｔＩＤ等のデータを送信した際には、これを検出した受信装置からアーティストによる「今日はありがとう」とのボイスメッセージが返されたり、受信装置の電飾装置が発光したり、ディスプレイ上に今後の予定などの付加情報が表示されたりするなどして、ファン達にイベント後の「余韻」ともいえる満足感を提供するものである。
【００８９】
そうして、帰宅したファン達は、自宅のＰＣ等のユーザ端末から情報管理サーバ１０１へアクセスし、今回のイベントで築かれた系統図を閲覧することができる。その場合の系統図が、例えば図１４Ａのように確認できるのである。なお、端末ディスプレイ上でのこのツリーの見せ方（表示の仕方）には、従来のビジュアライゼーション手法を使った様々な見せ方を実施することができる。
【００９０】
［ツリーの拡張例］
ここで、あるユーザが自身の携行するＥｖｅｎｔＩＤ等保持済みの発光装置を受信装置にかざすなどして保持データをサーバにアップロードした場合のツリーの拡張処理例を説明する。このユーザの携行する発光装置（この装置自体のＩＤとして、”CID_20”を保持しているものとする）には、以下のＥｖｅｎｔＩＤ等のデータが保持されているとする。
[Event_X, CID_0, CID_2, CID_5, CID_7]
ただし、”Event_X”に関するツリーは、図１４Ａに示されるとおりのツリーが既に形成されているものとする。
【００９１】
次に、発光装置を受信装置にかざすなどして保持データをサーバにアップロードする際には、その最後尾に自身のＣＩＤが追加され、例えば次のとおりのデータがアップロードされることになる。
[Event_X, CID_0, CID_2, CID_5, CID_7, CID_20]
【００９２】
また、この発光装置が保持データをサーバにアップロードするまでに、他の複数の発光装置（それぞれ自身のＣＩＤとして、”CID_21”, “CID_22”, “CID_23”を保持しているものとする）に対してキャンドルリレーを行っていたとすると、これら送信先の発光装置のＣＩＤ群も送信元のＣＩＤ（CID_20）と関連付けられて併せてサーバにアップロードされる。
[CID_21, CID_22, CID_23] 
（→上記送信リストは、送信元ＣＩＤ（CID_20）に関連付けられてサーバへ送信される）
【００９３】
そうすると、”CID_20”を有する発光装置からのアップロードデータは、サーバにおいて整理され（例えば、サーバ上でＥｖｅｎｔＩＤによって組み込まれるべきツリーが特定され、さらに、前方一致検索等により、そのツリーのどの部分に取り込まれるべきかが探索されるなど）、図１４Ｂに示すように、組み込まれる。この図１４Ｂに示される系統図の全部又は一部（アクセス制限等によりシステム側で調整できる）は、”CID_20”を保持する発光装置を携行するユーザが、帰宅後などに自身のユーザ端末から情報管理サーバ１０１へアクセスして確認することができる。
【００９４】
［確認できる系統範囲等の具体例］
“CID_20”を有する発光装置からアップロードしたユーザが、”Event_X”についての系統図で閲覧できる範囲の設定は、これらに限定されるものではないが、下表のとおり様々な趣旨に基づいて設定可能である。
【表３】
0006400997.tif 000004
【００９５】
［ツリーの子孫にあたるCIDがアップロードした場合の見え方の相違］
次に、本発明のさらなる特徴として、自身の子孫にあたるＣＩＤがアップロードされてきたときの見え方の変化について説明する。上述の”CID_20”を保持する発光装置からアップロードされたユーザが”Event_X”についての系統図で閲覧できる範囲としては、自身の子ノードについては”CID_21”と”CID_22”と”CID_23”であることは既に述べた。次に、その子ノードにあたる”CID_21”〜”CID_23”や、更にその子孫ノードとなるCIDを有する発光装置が各々のリレー履歴をアップロードすると、”CID_20”を保持する発光装置を所持するユーザも、その閲覧許容範囲において、子孫についてのノードCIDが閲覧できるようになる。
【００９６】
視点を変えて説明すると、図１４Ｂにおいて”CID_6”を保持する発光装置を所持するユーザが自身の保持データをアップロードした直後は、”CID_6”の次世代のノードである”CID_8”〜”CID_10”までしか閲覧できないが、その後、その子孫ノードにあたる”CID_13”や”CID_16”を保持する発光装置から保持データがアップロードされた後は、”CID_6”を保持する発光装置を所持するユーザからもその閲覧許可があればそれらの子孫ノードについても閲覧することができるようになる。
【００９７】
［系統図に基づいたコミュニケーションの広がり］
以上の説明により、本発明の一実施形態にかかる装置を使ったキャンドルリレーでは、単なる明かり（火）の伝達だけではなく、そのリレーの系譜情報をもサーバに集約することによって、図１４Ａや図１４Ｂに示したようなイベントに関する系統図を参照できるようになることが明らかになったが、本発明では、これをさらに発展させて、この系統図（や系統図における閲覧可能範囲）に基づいたコミュニケーション手段を提供することもできる。
【００９８】
図１５に、本発明の一実施形態にかかるシステムにおいて構築されるツリーのデータ構造に基づいたコミュニケーション例を示す。
【００９９】
図１５において、画面１５００は、ユーザ端末としてのタブレットないし自宅ＰＣのディスプレイの表示画面である。画面１５００のサブウィンドウ１５０１には、ユーザが情報管理サーバ１０１にアクセスし、そのユーザが許可されているツリーのダウンロードが行われて、許可された範囲でそのツリーが表示されている。
許可された範囲でのツリーの表示には、完全はオン／オフ表示の他に、許可されてないノードや他のツリーについても一応その存在が確認できる程度に薄く表示されるが選択したりクリックしたりすることはできないように制御（非アクティブ制御）するなど様々な方法がある。
【０１００】
そして、ユーザは、サブウィンドウ１５０１に表示され、選択が許可されたツリー上の任意のノード（他のユーザのＣＩＤノードである）を選択することによって、チャットなどの個別のコミュニケーションをとることができる。あるいは、自身のノードを含むツリーの任意の部分もしくは全体内での掲示板形式のチャットやコミュニケーションを行うこともできる。
【０１０１】
これらのコミュニケーションの様子は、例示的に画面１５００の右側のサブウィンドウ１５０２に表示される。その詳細は、従来の多様なインタフェースを採用可能であることは言うまでもない。
【０１０２】
なお、これらのコミュニケーションは、ＣＩＤさえ特定できれば足りるので、かかるコミュニケーションを通じて匿名のままコミュニティを形成することができる。
【０１０３】
［チェックポイント装置の活用例］
チェックポイント装置は、必ずしも本発明に必須のものではない。しかしながら、付加的な装置として本発明に応用することができるので、その活用例を例示すると次のとおりである。
（１）会場内は会場付近に設置されたチェックポイント装置にカメラが内蔵されており、ここを訪れたユーザが記念撮影をすることができる。この際、ユーザの所持する発光装置からＣＩＤをチェックポイント装置に送信するようにすれば、撮影された画像とＣＩＤとが関連付けられてサーバにアップロードされる。ユーザはあとで自宅ＰＣなどからこの画像を閲覧することができる。
（２）チェックポイント装置を訪れたユーザが付近の景色やサービスに満足した場合に、このチェックポイント装置を介して満足した旨のコード（「お気に入り」コード、あるいは「いいね！」コード）を入力ないし送信する。このコードが入力ないし送信された場所（チェックポイントの設置場所）は、サーバにアップロードされ、Ｗｅｂ上で公開することができる。他のユーザは、この公開情報を閲覧することができる。
（３）チェックポイント装置に支払い機能を搭載すれば、クレジットカードやデポジットとユーザが携行する発光装置のＣＩＤとを紐付けた決済処理が可能となる。
（４）チェックポイント装置に抽せん機能を搭載すれば、抽せんを行った人の発光装置のＣＩＤを管理することで後日当せん者に付加サービス等を提供することができる。なお、発光装置が保持するＥｖｅｎｔＩＤを管理し、特定のＥｖｅｎｔＩＤを保持している者しか抽せんができないように制限をかけることもできる。
【０１０４】
［さらなる応用例］
本発明は、上述したとおり独自の構成を備え、特徴ある情報処理を伴うものであるが、これを適用可能な例は他にも数多くあり、その一部を効果も含めて例示すると、次のとおりである。
（Ａ）コンサート、スポーツイベント、サーカス、コンベンション、学園祭等のイベント会場で盛り上がったあとの「余韻」を街中に持ち出すことができる。
（Ｂ）イベント会場での待ち時間やイベント会場への移動時間も楽しむことができる。
（Ｃ）受信装置の設置により、イベント会場や道中の店舗に立ち寄る理由を提供することができる。
【０１０５】
［実装上の他の実施例］
また、本発明を実施するうえでの実装上の他の実施例として、次の事項を挙げることができる。
（１）イベント用発光装置について
１−１）ＣＩＤそのもの、または、ＣＩＤとは異なるが一意に紐づく番号を装置の筐体等に印刷して外部または外部装置から識別することができるように構成できる。
１−２）発信ボタンは、自身がＥｖｅｎｔＩＤを保持していないと機能しないように構成することができる。
１−３）スイッチを切るとＥｖｅｎｔＩＤを破棄するように構成することもできるし、維持するように構成することもできる。
１−４）送信データは暗号化することができる。
（２）発信装置について
２−１）自身がサーバから取得するＥｖｅｎｔＩＤには有効期限を設けることができる。
２−２）ＥｖｅｎｔＩＤはサーバからだけではなく、ＵＳＢ等のメモリから取得するように構成することもできる。
２−３）原則として、ＥｖｅｎｔＩＤはスイッチオフしても破棄されないが、破棄されるようにしても良く、その両方の（２種類の）ＥｖｅｎｔＩＤを設けることとしても良い。
（３）受信装置について
３−１）発光装置からの保持データ吸い上げ時のイベントとしては、店舗でのドリンクサービス等の「イベント主催者等からの感謝の気持ち」を表わすサービスを提供することもできる。
３−２）その受信装置に到達しなかったことにより、保持データを提供できなかった発光装置Ａがあったとしても、発光装置ＡがＥｖｅｎｔＩＤを付与した他の発光装置Ｂがその受信装置に到達して保持データを提供していれば、サーバではこれを管理して、親ノードにあたる発光装置Ａを所持するユーザにも、系統図の閲覧を許可するように制御することもできる。
【０１０６】
以上、具体例に基づき、イベント用発光装置及び該装置を用いたシステム等の実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【０１０７】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【０１０８】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【０１０９】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【０１１０】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【０１１１】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【０１１２】
１０  情報処理システム
１０１  情報管理サーバ
１０２  発信装置（篝火、トーチ）
１０３ａ〜１０３ｃ  発光装置（キャンドル）
１０４ａ〜１０４ｄ  受信装置（囲炉裏、ランタン）
１０５ａ〜１０５ｂ  チェックポイント装置
１０９  公衆回線（専用線、インターネット等）
【図１】
0006400997.tif 000005
【図２】
0006400997.tif 000006
【図３】
0006400997.tif 000007
【図４】
0006400997.tif 000008
【図５】
0006400997.tif 000009
【図６】
0006400997.tif 000010
【図７】
0006400997.tif 000011
【図８】
0006400997.tif 000012
【図９】
0006400997.tif 000013
【図１０】
0006400997.tif 000014
【図１１】
0006400997.tif 000015
【図１２】
0006400997.tif 000016
【図１３】
0006400997.tif 000017
【図１４Ａ】
0006400997.tif 000018
【図１４Ｂ】
0006400997.tif 000019
【図１５】
0006400997.tif 000020